(57)【要約】【課題】  接触・非接触両用インターフェースを備えるＳＩＭを装着でき、非接触ＩＣカードとしての機能とＩＣカード用リーダライタとしての機能を備える２ウェイＩＣカード用リーダライタを提供する。【解決手段】  本発明の２ウェイＩＣカード用リーダライタ１は、ＵＳＢコネクタ５０を有し、接触と非接触インターフェースとを備えるＳＩＭ２を着脱可能に装着するＩＣカード用リーダライタであって、当該リーダライタは、さらに、（１）非接触用小型リーダ／ライタ・モジュール２０と、（２）制御用ＩＣチップ３と、（３）非接触交信のためのアンテナコイル１１と、必要により（４）液晶ディスプレイ４とを有し、スイッチ４０の切り替え操作により、ＩＣカードとしての機能と非接触ＩＣカード用リーダライタとしての機能と、双方の機能を互換して用いられることを特徴とする。【選択図】    図１
2006227678.tif 000002
【特許請求の範囲】
【請求項１】
ＵＳＢ用コネクタを有し、接触と非接触インターフェースとを備えるＳＩＭを着脱可能に装着するＩＣカード用リーダライタであって、当該リーダライタは、さらに、（１）非接触用小型リーダ／ライタ・モジュールと、（２）制御用ＩＣチップと、
（３）非接触交信のためのアンテナコイルと、（４）液晶ディスプレイと、を有し、スイッチの切り替え操作により、非接触ＩＣカードとしての機能と非接触ＩＣカード用リーダライタとしての機能と、双方の機能を互換して用いられることを特徴とする２ウェイＩＣカード用リーダライタ。
【請求項２】
ＵＳＢ用コネクタを有し、接触と非接触インターフェースとを備えるＳＩＭを着脱可能に装着するＩＣカード用リーダライタであって、当該リーダライタは、さらに、（１）非接触用小型リーダ／ライタ・モジュールと、（２）制御用ＩＣチップと、
（３）非接触交信のためのアンテナコイルと、を有し、スイッチの切り替え操作により、非接触ＩＣカードとしての機能と非接触ＩＣカード用リーダライタとしての機能と、双方の機能を互換して用いられることを特徴とする２ウェイＩＣカード用リーダライタ。
【請求項３】
バッテリを備えることを特徴とする請求項１または請求項２記載の２ウェイＩＣカード用リーダライタ。
【発明の詳細な説明】
【技術分野】
【０００１】
本発明は、ＵＳＢ用コネクタを有し、接触と非接触の両用インターフェースを備えるＳＩＭ（小型ＩＣカード）を着脱可能に装着すると共に、非接触用小型リーダ／ライタ・モジュールを備えるため、非接触ＩＣカードとしての機能と、非接触ＩＣカード用のリーダ／ライタとしての機能と、を有する２ウェイＩＣカード用リーダライタに関する。
【０００２】
このようなＩＣカード用リーダライタは、第１にパーソナルコンピュータ（ＰＣ）等のアクセス権限認証用途に使用でき、第２に施設、交通機関等の非接触ゲート管理や非接触ショッピング等の決済取引に適用でき、第３に非接触用小型リーダ／ライタ・モジュールにより非接触ＩＣカードや非接触ＩＣタグの情報を読み取りすることができる。
また、さらに、液晶ディスプレイを備える場合は各種情報を表示させることができるので、そのような情報表示が求められる媒体、例えば、各種取引の記録表示のために、定期券や乗車券等の交通機関用途に、各種施設入場券等に好適に用いられるものである。
【背景技術】
【０００３】
近年、ＩＳＯ７８１６−２、ＩＳＯ７８１６−３で規定する接触と、ＵＳＢ（ユニバーサル・シリアル・バス）接触とのデュアルインターフェースのＩＣカードが開発されている（特許文献１）。ＵＳＢインターフェースを持つＩＣカードは、パソコンなどのＵＳＢ対応機器との接続を容易にし、社員証カードなどでネットワークアクセス用ＩＤカードとして注目されはじめている。
【０００４】
一方、ｅ−Ｔｏｋｅｎと呼ばれるＩＣチップを内蔵したネットワークアクセス用ＩＤモジュールが使用されている。ＵＳＢ接触インターフェースを持ち、パソコンのＵＳＢポートに差し込みプラグアンドプレイ、すなわち煩わしい操作を必要とせずに、ネットワークセキュリティを確保したシステムに使用されている。ドングルと呼ばれることもあり、携帯電話のストラップやキーホルダーとともに持ち歩ける利便性がある。
【０００５】
他方、携帯電話には小型のＳＩＭやＵＩＭ、ＵＳＩＭカードと呼ばれるセキュリティＩＤモジュールが組み込まれてきている。日本でも最新の携帯電話には組み込まれて既に実用化されている。
ＵＩＭ（Ｕｓｅｒ  Ｉｄｅｎｔｉｔｙ  Ｍｏｄｕｌｅ）は、携帯電話会社が発行する契約者情報を記録した小型のＩＣカードであって、携帯電話機に組み込んで利用者の識別に使用する。
【０００６】
これは同様の機能を持つＳＩＭ（Ｓｕｂｓｃｒｉｂｅｒ  Ｉｄｅｎｔｉｔｙ  Ｍｏｄｕｌｅ）から機能拡張が行われたもので、契約者情報以外に電話帳などのプライベート情報やクレジット決済用の個人識別情報などを暗号化して登録することが可能となっている。  ＳＩＭをベースにしていることからＵＳＩＭ（Ｕｎｉｖｅｒｓａｌ  ＳＩＭ）と呼ばれることもある。ＳＩＭはＧＳＭ携帯電話サービスの利用を目的とするが、ＵＩＭは、例えば、アメリカのｃｄｍａ２０００携帯電話機に差し込んで国際ローミングサービスを受けるといった使用方法が考えられている。
いずれにしても、このようなＳＩＭまたはＵＩＭは既存技術が有るので製造や発行処理が容易である。
【０００７】
前述のキーホルダー型ＩＤモジュールや特許文献１の携帯物品は、非接触通信機能を持たないので、改札ゲートやドアゲートを非接触で開閉する等の用途に兼用できないという使い勝手の悪さがある。
そこで、本願出願人は、先に、ＩＳＯ７８１６で規定される接触と、ＩＳＯ１４４４３非接触のインターフェースを備えるＵＳＢコネクタ付きＳＩＭホルダーについて、特許文献２において提案している。また、ＩＳＯ７８１６で規定される接触と、ＩＳＯ１４４４３非接触、ＵＳＢ接触の３種のインターフェースを備えるＩＣモジュール、ＳＩＭホルダー、ＳＩＭ等について、特許文献３において提案している。さらに、接触と非接触インターフェースを備えるＳＩＭを着脱可能に装着し、かつ液晶ディスプレイを備えるＳＩＭリーダライタや携帯機器について、特許文献４、特許文献５において提案している。
【０００８】
【特許文献１】特表２００２−５２５７２０号公報
【特許文献２】特開２００４−１１８７７１号公報
【特許文献３】特開２００４−１３３８４３号公報
【特許文献４】特開２００４−２６４９１６号公報
【特許文献５】特願２００４−０２６２１６号
【発明の開示】
【発明が解決しようとする課題】
【０００９】
上記、特許文献３や特許文献４のＳＩＭホルダー、あるいはＳＩＭリーダライタは液晶ディスプレイを備えるので接触端子を備えるＳＩＭの情報を表示させることはできる。
しかし、札入れサイズ（ＩＤ−１型）の非接触ＩＣカードを装着できないので、ＩＣチップが保持する情報内容を直接表示はできない。携帯機器が非接触用リーダ／ライタ・モジュールを備えれば、ＰＣ等がない屋外においても、自分が保有する札入れサイズ非接触ＩＣカードの情報を読み取りできて便利である。
【００１０】
また、近年、非接触ＩＣタグが街中や生活の場で多用されるようになり、そのＩＣタグが保持する情報内容を読み取りし簡単に表示して知りたい場合が多くなってきている。
上記の特許文献４は、「ＳＩＭリーダライタ」と表記されていても、実際は外部機器によって、自己が保持するＳＩＭの情報内容を読み取りされ、書き込みされる機能であって、相対する相手側の非接触ＩＣカードや非接触ＩＣタグの情報を読み取りしたり書き込みする機能は備えていない。すなわち、小型ＩＣカードである「ＳＩＭ」は面積が小さく有効なアンテナを形成できないので、「ＳＩＭリーダライタ」側にアンテナを持たせ全体として非接触ＩＣカードの機能を持たせ、さらに液晶表示等の拡張機能を保有させたものに過ぎない。
そこで近年、小サイズモジュール化してきた非接触ＩＣカード用小型リーダ／ライタ・モジュールを携帯機器に搭載することで、非接触ＩＣカードとしての機能と非接触ＩＣカードリーダ／ライタとしての機能を一体に具備させることを研究して本発明の完成に至ったものである。
【課題を解決するための手段】
【００１１】
上記課題を解決する本発明の要旨の第１は、ＵＳＢ用コネクタを有し、接触と非接触インターフェースとを備えるＳＩＭを着脱可能に装着するＩＣカード用リーダライタであって、当該リーダライタは、さらに、（１）非接触用小型リーダ／ライタ・モジュールと、（２）制御用ＩＣチップと、（３）非接触交信のためのアンテナコイルと、（４）液晶ディスプレイと、を有し、スイッチの切り替え操作により、非接触ＩＣカードとしての機能と非接触ＩＣカード用リーダライタとしての機能と、双方の機能を互換して用いられることを特徴とする２ウェイＩＣカード用リーダライタ、にある。
【００１２】
上記課題を解決する本発明の要旨の第２は、ＵＳＢ用コネクタを有し、接触と非接触インターフェースとを備えるＳＩＭを着脱可能に装着するＩＣカード用リーダライタであって、当該リーダライタは、さらに、（１）非接触用小型リーダ／ライタ・モジュールと、（２）制御用ＩＣチップと、（３）非接触交信のためのアンテナコイルと、を有し、スイッチの切り替え操作により、非接触ＩＣカードとしての機能と非接触ＩＣカード用リーダライタとしての機能と、双方の機能を互換して用いられることを特徴とする２ウェイＩＣカード用リーダライタ、にある。
【発明の効果】
【００１３】
（１）本発明の２ウェイＩＣカード用リーダライタ（以下、「２Ｗａｙリーダライタ」とも略記する。）は、ＵＳＢインターフェースとしてＰＣ等のアクセス権限認証に使用できるほか、ＩＳＯ／ＩＥＣ１４４４３またはＩＳＯ／ＩＥＣ１５６９３非接触通信機能を備えるので、電子チケット、電子マネー決済等の各種非接触取引用途に使用できる。
（２）本発明の２Ｗａｙリーダライタ（請求項１）は、札入れサイズの非接触ＩＣカードの情報内容、あるいは非接触ＩＣタグの情報内容を読み取りして、その内容を直ちに液晶ディスプレイに表示させることができる。
（３）本発明の２Ｗａｙリーダライタ（請求項１）は、ＳＩＭのメモリに保持する情報内容を液晶ディスプレイに表示することができるので、情報内容をパーソナルコンピュータや専用端末のディスプレイで確認したりプリンタに出力して確認するような手間を省略できる。
【００１４】
（４）本発明の２Ｗａｙリーダライタは、ＰＣ等から電子バリューを転送することができ、当該電子バリューをアンテナを使って、非接触方式で利用できる。
（５）本発明の２Ｗａｙリーダライタ（請求項２）は、札入れサイズの非接触ＩＣカードの情報内容、あるいは非接触ＩＣタグの情報内容を読み取りして、その内容をＰＣ等のディスプレイに表示させることができる。
（６）本発明の２Ｗａｙリーダライタ（請求項２）は、ＳＩＭのメモリに保持する情報内容をＰＣ等のディスプレイに表示させることができる。
【発明を実施するための最良の形態】
【００１５】
本発明の２Ｗａｙリーダライタについて図面を参照して説明する。
図１は、本発明の２Ｗａｙリーダライタの概念を説明する図、図２は、２Ｗａｙリーダライタの非接触ＩＣカード機能を行う部分を示すブロック図、図３は、２Ｗａｙリーダライタの非接触用小型リーダ／ライタ・モジュール部を示すブロック図、図４は、２Ｗａｙリーダライタの外形の例を示す図、図５は、２Ｗａｙリーダライタの断面図、である。
【００１６】
図１のように、本発明の２Ｗａｙリーダライタ１は、全体として非接触ＩＣカードの機能を行う部分（以下、「非接触ＩＣカード機能部」と表現する。）１０と非接触用小型リーダ／ライタ・モジュール部２０とが、１つのＵＳＢコネクタ５０に対して、スイッチ４０により切り替え可能に接続した構成になっている。
【００１７】
非接触ＩＣカード機能部１０は、接触・非接触両用型ＳＩＭ２を着脱可能に装着する構造を有し、アンテナコイル１１を有している。さらに、制御用ＩＣチップ３と液晶ディスプレイ４を有し、視覚的な情報表示が可能である（請求項１の場合）。液晶ディスプレイを持たない場合（請求項２の場合）であっても、ＰＣ等に接続して表示が可能である。
非接触ＩＣカード機能部１０は、電子チケット、電子マネー決済、定期券等の各種非接触取引用途に使用でき、ＵＳＢコネクタ５０によりＰＣ等に接続した場合はアクセス権限認証用途に使用できる。
非接触用小型リーダ／ライタ・モジュール部２０は、他の非接触ＩＣカードや非接触ＩＣタグの読み取り用途として使用でき、ＰＣ等に接続すれば当該他の非接触ＩＣカード等に対してデータの書き込みをすることもできる。
【００１８】
非接触用小型リーダ／ライタ・モジュール部２０は、回路部２０ｋとループ状等のアンテナ２２とからなる。リーダ／ライタ・モジュール部２０は非接触ＩＣカード機能部１０の液晶ディスプレイ４を使用することができる。ただし、非接触ＩＣカード機能部１０の制御用ＩＣチップ３はＩＳＯ７８１６ドライバを用いるので、適宜なインターフェース変換回路３０を介して接続することが必要となる。
【００１９】
２Ｗａｙリーダライタの非接触ＩＣカード機能部は、図２のブロック構成となる。
図２のように、非接触ＩＣカード機能部１０は、ＳＩＭ２を装着した状態でＳＩＭ２が保持する各種アプリケーションを実行できる。アプリケーションには電子マネー２０１、電子チケット２０２等を搭載できる。制御用ＩＣチップ３は、ＣＰＵとメモリを有すると共に、ＩＳＯ７８１６ドライバ３１と液晶ディスプレイ４を駆動する液晶ドライバ３２を有している。ただし、これらの全てが一体にＩＣチップ化されているもには限らない。
ＳＩＭ２の信号は、リーダライタ（Ｒ／Ｗ）端子板１２とリレー８を介して制御用ＩＣチップ３に送信され、ＵＳＢコネクタ５０からの信号は、ＵＳＢ／ＩＳＯ７８１６変換ＩＣ５とリレー８を介して制御用ＩＣチップ３に送信される。
【００２０】
リーダライタ（Ｒ／Ｗ）端子板１２は、ＳＩＭ２が備える接触端子板の８個の端子と接続する構造を有している。接触端子板はＩＳＯで規定するＣ１〜Ｃ８の８端子からなるものである。この場合、予備端子となっているＣ４端子とＣ８端子が、２Ｗａｙリーダライタ１のケーシング内のアンテナコイル１１に接続するようにされている。アンテナコイル１１は、ＩＳＯ／ＩＥＣ１４４４３ＴｙｐｅＡ，ＢまたはＩＳＯ／ＩＥＣ１５６９３に準拠した非接触通信を行うためのものである。
２Ｗａｙリーダライタ１は、液晶ディスプレイ４や制御用ＩＣチップ３等の駆動電源としてバッテリ（二次電池）７を備えることが好ましい。バッテリ７には薄型のリチウムイオン電池を好ましく使用できる。充電部は図示してないがバッテリ７は当然に充電可能とする。ＵＳＢバスパワーにより充電されるものであってもよい。スイッチボタン４１は電源のオン−オフ、スイッチボタン４２は、表示選択や動作決定のために用いられる。
【００２１】
２Ｗａｙリーダライタ１は、ＵＳＢコネクタ５０がパーソナルコンピュータ（ＰＣ）のＵＳＢポートに挿入されている場合は、バッテリ７は接続されないようになっている。
したがって、この場合は、スイッチボタン４１をオンしても制御用ＩＣチップ３のＣＰＵは動作せず液晶ディスプレイ４も表示されない。液晶ディスプレイ４は、ＰＣに接続していない場合であって、スイッチボタン４１をオンした場合にのみ表示される。
【００２２】
電源ボタンオン時には、リレー８はＣＰＵとリーダライタ端子板１２を接続する。ＵＳＢコネクタ５０がＵＳＢポートに挿入されているＵＳＢ駆動時は、リレー８は制御用ＩＣチップ３のＣＰＵとＵＳＢポートを接続する。
また、アンテナコイル１１によりＩＳＯ１４４４３またはＩＳＯ１５６９３通信中に電源ボタンがオフされたり、ＵＳＢコネクタがＵＳＢポートに挿入された場合には、ハードウェアリセットがかかり、ＳＩＭはＡＴＲ（Ａｎｓｗｅｒ  Ｔｏ  Ｒｅｓｅｔ）を返す。すなわち、非接触通信は強制的に中断されるようになっている。
【００２３】
２Ｗａｙリーダライタ１の非接触用小型リーダ／ライタ・モジュール部（以下、「リーダ／ライタ・モジュール」とも略記する。）２０は各種の構成からなるが、例えば、図３のようなブロック構成にできる。リーダ／ライタ・モジュール部２０は、ＲＦ回路２１とループ状等のアンテナ２２、通信制御回路２３、外部インタフェース回路２４、ＰＬＬ２５、メモリ２６を有し、必要により暗号処理回路２７をさらに有する。電源部２８は各回路に電力を供給するが、バッテリ７と共用するものであってよい。
【００２４】
ＲＦ回路２１は、受信した電波を復調する復調部や増幅部、送信する電波を変調する変調部等からなる。外部インターフェース回路２４は、ＲＳ２３２Ｃ／ＲＳ４２２やＵＳＢ規格により入力される信号をリーダ／ライタ・モジュールに適合するように変換を行う部分である。通信制御回路２３は受送信の切り替えや通信速度の制御をするようにされている。ＰＬＬ（フェイズ・ロックド・ループ）２５は入力信号や基準周波数と、出力信号の周波数を一致させる電子回路のことで、正確に同期した周波数の信号を発信する役割を行う。暗号処理回路２７は所定の暗号プロトコルに従い、通信文を暗号化する回路であるが、暗号文を使用しない場合は特に必要はない。
【００２５】
リーダ／ライタ・モジュール２０は回路部分に対し、平面状アンテナ部分が分離しているものと一体型のものがある。アンテナは平面な基板に形成されていて、基板内にはループ状等のアンテナパターンが形成されているが、その形状は機種によって種々である。
近年、リーダ／ライタ・モジュールが小型化し、平面サイズが、４３ｍｍ×４３ｍｍ、４０ｍｍ×４４ｍｍ、４０ｍｍ×２０ｍｍ等のサイズになっている。厚みは、１０ｍｍ〜１４ｍｍ程度である。神鋼電機株式会社の最新のリーダ／ライタ用モジュールは、７．０×７．０ｍｍ（容積０．１２ｃｃ）の形状とされている。いずれも携帯機器に装着可能なサイズである。
【００２６】
非接触ＩＣカードも非接触ＩＣタグも、通信周波数は１３．５６ＭＨｚのものが現在多く用いられているが、２．４ＧＨｚ帯のものもある。外国での使用周波数との相違や将来的な周波数割り当て変更も考えられ確定的なものとは限らない。
ＩＳＯ／ＩＥＣ１４４４３ＴｙｐｅＡは近接型非接触ＩＣカードであるが、ＩＳＯ／ＩＥＣ１５６９３は近傍型非接触ＩＣカードであり近接型よりも通信距離が長くなる。
リーダ／ライタ・モジュールはＩＳＯ／ＩＥＣ１５６９３に準拠したものも多くなってきている。ホスト間入出力インターフェースは、ＲＳ−２３２ＣやＣＭＯＳインターフェース、ＵＳＢ１．１等のものが多い。リーダ／ライタ・モジュール２０により書き込みする場合は、データをＰＣ等の外部機器より取得する必要があるので、２Ｗａｙリーダライタは、単独で非接触ＩＣカードに対する書き込みを目的とするものではない。
【００２７】
２Ｗａｙリーダライタ１は、電源をオンすると通信距離範囲内にあるＩＣカード２に対して、コマンドを定期的に送出する。ＩＣカード２は、２Ｗａｙリーダライタ１からのコマンドをキャッチするとレスポンスを送信する。これにより、ＩＣカード２と２Ｗａｙリーダライタ１間でトランザクションが開始される。その後、２Ｗａｙリーダライタ１は必要に応じて相互認証のコマンドや情報のリード／ライトなどを行うコマンドを送信し、ＩＣカードは受信したコマンドにより処理を行う。
２Ｗａｙリーダライタ１は、ＩＣカード２から読み取りしたデータをメモリに蓄積し、スイッチボタンからの指示によりデータ内容を液晶ディスプレイに表示する。
【００２８】
図４は、２Ｗａｙリーダライタ１の外形の例を示す図である。
２Ｗａｙリーダライタ１はどのような外形であっても構わないが、表面に液晶ディスプレイ４を有し、左端部にＵＳＢコネクタ５０、右端部にＳＩＭ２の挿入口１５を設けることができる。ＵＳＢコネクタ５０の挿入方向とＳＩＭ２の挿入方向が反対側にあるのが部材の構成上、好ましいと考えられる。ＵＳＢコネクタ５０は凸状に突出するものにかぎらず、ＵＳＢケーブルを受け入れる凹状のものであってもよい。また、ＵＳＢコネクタ５０部分にスイッチ４０を有し、液晶ディスプレイ４と挿入口１５の間にスイッチボタン４１，４２を設けるようにできる。電源投入確認のためのＬＥＤ表示１４を設けてもよい。
全体の大きさを、幅３５〜４０ｍｍ、長さ６０〜７０ｍｍ、厚み１５〜２０ｍｍにできれば、携帯し易い外形となる。
【００２９】
液晶ディスプレイ４は、ＳＩＭ２のＩＣチップが保持する情報をスイッチボタン４２の操作により順次表示するようにされている。
表示内容は、ＳＩＭ２の搭載するアプリケーションソフトによって異なるが、例えば、電子マネー２０１の場合は残高、支払い明細等であり、電子チケット２０２の場合は、利用日付けや会場、開演時間、指定座席等の表示であり、定期券用途の場合は、通用区間や通用期間、使用者名等の表示となる。このようにＳＩＭ２は複数アプリケーションを搭載できることが好ましい。
【００３０】
液晶ディスプレイ４は、モノクロであってもよく、ドットマトリクスタイプの反射型カラー液晶表示も採用でき図形表示も可能である。液晶ディスプレイ４の厚みは、１．０ｍｍ〜１．５ｍｍ程度となる。表示面積は、幅２０〜３０ｍｍから長さ５０〜６０ｍｍ程度のものにできる。なお、液晶ディスプレイに限らず、有機ＥＬや電子ペーパーなど、薄型で消費電力の少ない表示装置を代替して利用することができる。
【００３１】
２Ｗａｙリーダライタ１の液晶ディスプレイ４の背面には、電源充電のための機構部等を設けることができる。下側ケース部１９内には、アンテナコイル１１やリーダ／ライタ・モジュール２０を設置する。外部機器または非接触ＩＣカードと交信する場合は、下面側を接触させるのが好ましいからである。下側ケース部１９の一部を透明窓等として、ＳＩＭ２の顔写真やネームプリントを視認できるよにうしてもよい。
多くの場合、このような携帯機器は、上蓋部１８と下側ケース部１９とを分割して成型し、配線基板等を組み込んだ後に組み合わせて一体にすることが多い。したがって、上蓋部１８と下側ケース部１９を開閉式または分解可能型とし、バッテリ７や他の部品の交換を容易にするのが好ましい。
【００３２】
図５は、２Ｗａｙリーダライタの断面図である。図４のＡ−Ａ線断面に相当するが、ＳＩＭ２が装着されている状態を示している。ＳＩＭ２と液晶ディスプレイ４との間には、リーダライタ端子板１２があって、端子板１２から突出する８個のコンタクトピン（不図示）によりＳＩＭ２の接触端子板２ｔとの接触が確保される。
リーダライタ端子板１２は配線基板を兼ねるようにしても良い。アンテナコイル１１は、下側ケース部１９の内面等に配線され、その末端はリーダライタ端子板１２のＣ４とＣ８端子に接続するようにされている。ＩＣモジュールのＣ４とＣ８端子はＲＦＵ（Ｒｅｓｅｒｖｅｄ  ｆｏｒ  Ｆｕｔｕｒｅ  Ｕｓｅ）にされているが、当該端子を利用してＩＣチップの非接触通信機能部に接続するものである。
アンテナコイル１１のループ内部に小型リーダ／ライタ・モジュール２０を納めるようにできる。
【００３３】
前記の図２において、ＵＳＢコネクタ５０への配線は省略されているが、ＳＩＭ２からは、Ｃ５（ＧＮＤ）、Ｃ１（Ｖｃｃ）、Ｃ２（ＲＳＴ）、Ｃ７（Ｉ／Ｏ）が、ＵＳＢ／ＩＳＯ７８１６変換ＩＣ５に導かれることになる。
前述した特許文献１には、ＵＳＢ機能を有するＩＣチップが記載され、ＵＳＢ（Ｄ＋）がＣ４端子を、ＵＳＢ（Ｄ−）がＣ８端子を利用する例が記載されているが、本発明の２Ｗａｙリーダライタ１は、ＵＳＢ／ＩＳＯ７８１６変換ＩＣ５を使用するので、従来機能のデュアルＩＣモジュールを使用できる。
また、アンテナコイル１１の端子には、Ｃ４とＣ８端子を利用するので、８端子以上の特設端子板を有する端子をＳＩＭ２やリーダライタに使用しない利点がある。
【００３４】
２ウェイＩＣカード用リーダライタ１に使用するＳＩＭ２は、接触と非接触インターフェースを備えるＳＩＭである。接触とは、ＩＳＯ７８１６−２、ＩＳＯ７８１６−３で規定する接触であり、非接触とは、ＩＳＯ１４４４３またはＩＳＯ１５６９３で規定する非接触を意味する。したがって、ＳＩＭ２には、接触と非接触のデュアルインターフェースＩＣモジュールが装着される。
ＳＩＭ２の外形は、図４に図示されるが、長辺２５ｍｍ、短辺１５ｍｍ、厚み０．７６ｍｍの薄板状のものである。１の角部に切り欠き２ｋを有するのは、携帯電話機等に装着した場合の位置合わせの整合のためである。
ＳＩＭ２の表面には接触端子板２ｔを有するが、裏面には利用者の顔写真や氏名の表示、番号プリント等をすることができる。
【００３５】
本発明の２ウェイＩＣカード用リーダライタの使用方法について説明する。
本発明の２Ｗａｙリーダライタは、ＵＳＢインターフェースとしてＰＣ等のアクセス権限認証に使用できるほか、ＩＳＯ／ＩＥＣ１４４４３またはＩＳＯ／ＩＥＣ１５６９３非接触通信機能を備えるので、電子チケット、電子マネー決済等の各種非接触取引用途に使用できる。すなわち、本発明の２Ｗａｙリーダライタは、ＰＣ等から電子バリューを転送することができ、当該電子バリューをアンテナを使って、非接触方式で利用できる。
前記のように、ＰＣに接続している際は、非接触通信機能は遮断されるが、非接続時には、非接触インターフェースを使いコンビニやレストランでの支払いや交通機関の改札や施設の入退室管理に利用することができる。
一方、ＰＣに直接接続でき、周辺機器として別途のリーダライタを必要としないで非接触ＩＣカードに対して、リードライトできる利点がある。
【００３６】
また、液晶ディスプレイ４を有する場合は、札入れサイズの非接触ＩＣカードの情報内容、あるいは非接触ＩＣタグの情報内容を読み取りして、その内容を直ちに液晶ディスプレイに表示させることができ、ＳＩＭ２のメモリに保持する情報内容を液晶ディスプレイに表示することもできる。
液晶ディスプレイを有しない場合であっても、札入れサイズの非接触ＩＣカードの情報内容、あるいは非接触ＩＣタグの情報内容を読み取りして、その内容をＰＣ等のディスプレイに表示させることができ、ＳＩＭのメモリに保持する情報内容をＰＣ等のディスプレイに表示させることができる。
【００３７】
以上のように、本発明の２Ｗａｙリーダライタについて説明したが、本発明品のアクセス権限認証としての使用は、ＰＣとの組合せに限定されず、パーソナルコンピュータと同様な機能を備える装置、例えば、ＰＯＳレジスタ、あるいはデジタルカメラ等との関係においても適用できるものであることは、当業者には自明のことである。
【図面の簡単な説明】
【００３８】
【図１】本発明の２Ｗａｙリーダライタの概念を説明する図である。
【図２】２Ｗａｙリーダライタの非接触ＩＣカード機能を行う部分を示すブロック図である。
【図３】２Ｗａｙリーダライタの非接触用小型リーダ／ライタ・モジュール部を示すブロック図である。
【図４】２Ｗａｙリーダライタの外形の例を示す図である。
【図５】２Ｗａｙリーダライタの断面図である。
【符号の説明】
【００３９】
１    ２ウェイＩＣカード用リーダライタ、２Ｗａｙリーダライタ
２    ＳＩＭ
２ｔ  接触端子板
３    制御用ＩＣチップ
４    液晶ディスプレイ
５    ＵＳＢ／ＩＳＯ７８１６変換ＩＣ
７    バッテリ（二次電池）
８    リレー
１０    非接触ＩＣカード機能部
１１    アンテナコイル
１２    リーダライタ（Ｒ／Ｗ）端子板
１４    ＬＥＤ表示
１５    挿入口
１８    上蓋部
１９    下側ケース部
２０    非接触用小型リーダ／ライタ・モジュール部、リーダ／ライタ・モジュール
２１    ＲＦ回路
２２    アンテナ
２３    通信制御回路
２４    外部インタフェース回路
２５    ＰＬＬ
２６    メモリ
２７    暗号処理回路
２８    電源部
３０    インターフェース変換回路
３１    ＩＳＯ７８１６ドライバ
３２    液晶ドライバ
４０    スイッチ
４１，４２    スイッチボタン
５０    ＵＳＢコネクタ
【図１】
2006227678.tif 000003
【図２】
2006227678.tif 000004
【図３】
2006227678.tif 000005
【図４】
2006227678.tif 000006
【図５】
2006227678.tif 000007